(57)【特許請求の範囲】
【請求項１】
患者のバイタル情報を計測する計測手段と、上記計測手段により計測されたバイタル情報が入力され、そのバイタル情報を医師端末に送信するとともに、そのバイタル情報をメモリに蓄積する送信手段と、そのバイタル情報の送信状況を監視し、回線異常を検知すると、上記計測手段の計測処理及び上記送信手段の送信処理を中断させる一方、上記医師端末からバイタル情報の再送要求を受信すると、上記メモリに蓄積されたバイタル情報を医師端末に再送し、その再送処理が完了すると、上記計測手段の計測処理及び上記送信手段の送信処理を再開させる再送手段とを備えた在宅医療装置。
【請求項２】
医師端末はバイタル情報の受信状況を監視し、回線異常を検知すると、その旨を表示することを特徴とする請求項１記載の在宅医療装置。
【請求項３】
医師端末はバイタル情報の受信状況を監視し、回線異常を検知すると、回線を再接続することを特徴とする請求項１または請求項２記載の在宅医療装置。
【請求項４】
医師端末は回線が復旧すると、再送要求を送信することを特徴とする請求項３記載の在宅医療装置。
【請求項５】
患者のバイタル情報を計測する計測手段と、上記計測手段により計測されたバイタル情報が入力され、そのバイタル情報を医師端末に送信するとともに、そのバイタル情報をメモリに蓄積する送信手段と、そのバイタル情報の送信状況を監視し、回線異常を検知すると、上記計測手段の計測処理及び上記送信手段の送信処理を中断させる一方、回線が復旧すると、上記メモリに蓄積されたバイタル情報を医師端末に再送し、その再送処理が完了すると、上記計測手段の計測処理及び上記送信手段の送信処理を再開させる再送手段とを備えた在宅医療装置。
【請求項６】
再送手段が回線異常を検知すると、その旨を表示する表示手段を設けたことを特徴とする請求項５記載の在宅医療装置。
【請求項７】
再送手段が回線異常を検知すると、回線を再接続する再接続手段を設けたことを特徴とする請求項５または請求項６記載の在宅医療装置。
【請求項８】
計測手段が患者のバイタル情報を計測する計測ステップと、送信手段が、上記計測手段により計測されたバイタル情報を入力して、そのバイタル情報を医師端末に送信するとともに、そのバイタル情報をメモリに蓄積する送信ステップと、再送手段が、そのバイタル情報の送信状況を監視し、回線異常を検知すると、上記計測手段の計測処理及び上記送信手段の送信処理を中断させる一方、上記医師端末からバイタル情報の再送要求を受信すると、上記メモリに蓄積されたバイタル情報を医師端末に再送し、その再送処理が完了すると、上記計測手段の計測処理及び上記送信手段の送信処理を再開させる再送ステップとを備えた在宅医療方法。
【請求項９】
計測手段が患者のバイタル情報を計測する計測ステップと、送信手段が、上記計測手段により計測されたバイタル情報を入力して、そのバイタル情報を医師端末に送信するとともに、そのバイタル情報をメモリに蓄積する送信ステップと、再送手段が、そのバイタル情報の送信状況を監視し、回線異常を検知すると、上記計測手段の計測処理及び上記送信手段の送信処理を中断させる一方、回線が復旧すると、上記メモリに蓄積されたバイタル情報を医師端末に再送し、その再送処理が完了すると、上記計測手段の計測処理及び上記送信手段の送信処理を再開させる再送ステップとを備えた在宅医療方法。
【発明の詳細な説明】
【０００１】
【発明の属する技術分野】
この発明は、医師端末と患者端末をオンライン接続して、医師の在宅医療を支援する在宅医療装置及び在宅医療方法に関するものである。
【０００２】
【従来の技術】
図７は例えば特開平４−５７１６１号公報に示された従来の在宅医療装置を示す構成図であり、図において、１は患者の自宅等に設置された患者端末、２は病院に設置されたセンタ装置、３は患者の登録番号やバイタル情報（例えば、血圧や心拍数）を記憶するＩＣカード、４はＩＣカード３の内容を読み書きするＩＣカードリードライタ（以下、ＩＣカードＲ／Ｗという）、５は患者の緊急を知らせる緊急発信器、６は緊急発信器５が発信する緊急信号を受信する受信部、７は患者側のテレビ電話、８は患者のバイタル情報を計測するバイタルセンサ、９は電話回線に接続されたアダプタである。
【０００３】
また、１０はＩＣカード３の内容を読み書きするＩＣカードＲ／Ｗ、１１は病院側のテレビ電話、１２は電話回線に接続されたアダプタ、１３は例えばバイタルセンサ８に計測されたバイタル情報をアダプタ９，１２を介して受信するとともに、そのバイタル情報をデータベースに蓄積するホストコンピュータである。
【０００４】
次に動作について説明する。
まず、患者がバイタルセンサ８を取り付けると、バイタルセンサ８が定期的にバイタル情報を計測してアダプタ９に送信し、アダプタ９のメモリに格納される。
そして、患者がＩＣカード３をＩＣカードＲ／Ｗ４に挿入したのち、アダプタ９のスイッチを制御すると、アダプタ９のメモリに格納されたバイタル情報がＩＣカード３に記憶されることになる。
【０００５】
このようにして、バイタル情報がＩＣカード３に記憶された場合は、患者がＩＣカード３を病院に持参することが可能になり、患者がＩＣカード３をＩＣカードＲ／Ｗ１０に挿入すると、ホストコンピュータ１３がＩＣカード３からバイタル情報を読み込んで、そのバイタル情報をデータベースに蓄積する。従って、医師が患者のバイタル情報をデータベースから検索することが可能になり、患者の体調を診断することができる。
【０００６】
一方、患者がＩＣカード３を病院に持参しない場合でも、病院のセンタ装置２から電話回線を介して患者端末１を呼び出すことにより、ホストコンピュータ１３がアダプタ９のメモリに格納されたバイタル情報を受信し、そのバイタル情報をデータベースに蓄積することができる。
従って、この場合も、医師が患者のバイタル情報をデータベースから検索して、患者の体調を診断することができる。また、この場合、テレビ電話１１を通じて患者の様子を知ることもできる。
【０００７】
なお、患者の体調が悪く緊急を要する場合には、緊急発信器５から緊急信号を発信することが可能であり、この場合は、受信部６が緊急発信器５から発信された緊急信号を受信し、自動的にセンタ装置２を呼び出して、その旨を通知することになる。
【０００８】
【発明が解決しようとする課題】
従来の在宅医療装置は以上のように構成されているので、医師はデータベースから患者のバイタル情報を検索すれば、在宅医療を実施することができるが、そのバイタル情報はリアルタイムな情報ではないため、患者の現時点の病状を正確に診断することができない課題があった。
また、バイタル情報の送信状況を監視する手段がないため、回線異常が発生すると、そのバイタル情報が失われてホストコンピュータ１３のデータベースに蓄積されない場合があり、この場合にはバイタルセンサ８を用いて再度バイタル情報を計測しなければならず、そのバイタル情報の計測期間が長い場合には、患者の負担が大きくなる課題もあった。
【０００９】
この発明は上記のような課題を解決するためになされたもので、回線異常が発生しても患者の負担を大きくすることなく、リアルタイムなバイタル情報を送信することができる在宅医療装置及び在宅医療方法を得ることを目的とする。
【００１１】
【課題を解決するための手段】
この発明に係る在宅医療装置は、バイタル情報の送信状況を監視し、回線異常を検知すると、計測手段の計測処理及び送信手段の送信処理を中断させる一方、医師端末からバイタル情報の再送要求を受信すると、メモリに蓄積されたバイタル情報を医師端末に再送し、その再送処理が完了すると、計測手段の計測処理及び送信手段の送信処理を再開させるようにしたものである。
【００１２】
この発明に係る在宅医療装置は、医師端末がバイタル情報の受信状況を監視し、回線異常を検知すると、その旨を表示するようにしたものである。
【００１３】
この発明に係る在宅医療装置は、医師端末がバイタル情報の受信状況を監視し、回線異常を検知すると、回線を再接続するようにしたものである。
【００１４】
この発明に係る在宅医療装置は、回線が復旧すると再送要求を送信するようにしたものである。
【００１６】
この発明に係る在宅医療装置は、バイタル情報の送信状況を監視し、回線異常を検知すると、計測手段の計測処理及び送信手段の送信処理を中断させる一方、回線が復旧すると、メモリに蓄積されたバイタル情報を医師端末に再送し、その再送処理が完了すると、計測手段の計測処理及び送信手段の送信処理を再開させるようにしたものである。
【００１７】
この発明に係る在宅医療装置は、回線異常を検知すると、その旨を表示する表示手段を設けるようにしたものである。
【００１８】
この発明に係る在宅医療装置は、回線異常を検知すると、回線を再接続する再接続手段を設けるようにしたものである。
【００２０】
この発明に係る在宅医療方法は、再送手段が、バイタル情報の送信状況を監視し、回線異常を検知すると、計測手段の計測処理及び送信手段の送信処理を中断させる一方、医師端末からバイタル情報の再送要求を受信すると、メモリに蓄積されたバイタル情報を医師端末に再送し、その再送処理が完了すると、計測手段の計測処理及び送信手段の送信処理を再開させるようにしたものである。
【００２２】
この発明に係る在宅医療方法は、再送手段が、バイタル情報の送信状況を監視し、回線異常を検知すると、計測手段の計測処理及び送信手段の送信処理を中断させる一方、回線が復旧すると、メモリに蓄積されたバイタル情報を医師端末に再送し、その再送処理が完了すると、計測手段の計測処理及び送信手段の送信処理を再開させるようにしたものである。
【００２３】
【発明の実施の形態】
以下、この発明の実施の一形態を説明する。
実施の形態１．
図１はこの発明の実施の形態１による在宅医療装置を示す概略構成図であり、図において、２１は患者の自宅に設置された患者端末、２２は病院に設置された医師端末である。
【００２４】
図２は患者端末の具体的な構成を示す構成図であり、図において、３１は電話回線と接続されたモデム、３２は患者のバイタル情報（例えば、血圧や心拍数）を一定期間計測するバイタルセンサ（計測手段）、３３はバイタルセンサ３２により計測されたバイタル情報を入力するごとに、そのバイタル情報をモデム３１を介して医師端末２２に送信するとともに、そのバイタル情報をメモリ３４に蓄積するバイタルインタフェース（送信手段）、３４はバイタル情報を蓄積するとともに、医師端末２２の電話番号等を格納するメモリ、３５はバイタル情報の送信状況を示すステータスをモデム３１からリードすることにより、バイタル情報の送信状況を監視し、電話回線の接続断（回線異常）を検知すると、バイタルインタフェース３３の送信処理を中断させる一方、電話回線が再接続されたのち、モデム３１が医師端末２２からバイタル情報の再送要求を受信すると、メモリ３４に蓄積されたバイタル情報をモデム３１を介して医師端末２２に再送し、その再送処理が完了するとバイタルインタフェース３３の送信処理を再開させるＣＰＵ（再送手段）である。
【００２５】
また、３６は患者が患者端末２１を操作する際に使用するマウス、３７はマウスインタフェース、３８はバイタルセンサ３２により計測されたバイタル情報や医師の画像等を表示するとともに、ＣＰＵ３５が電話回線の接続断を検知すると、その旨を表示するＣＲＴ（表示手段）、３９はＣＲＴインタフェース、４０は患者の声を入力するマイク、４１は医師の声を出力するスピーカ、４２はサウンドインタフェース、４３は患者を撮影するビデオカメラ、４４はビデオインタフェースである。
【００２６】
図３は医師端末の具体的な構成を示す構成図であり、図において、５１は電話回線と接続されたモデム、５２は患者端末２１から送信されたバイタル情報を蓄積するとともに、患者端末２１の電話番号等を格納するメモリ、５３はバイタル情報の受信状況を示すステータスをモデム５１からリードすることにより、バイタル情報の受信状況を監視し、電話回線の接続断（回線異常）を検知すると、その旨をＣＲＴ５４に表示するＣＰＵ、５４は患者のバイタル情報及び患者の画像等を表示するとともに、ＣＰＵ５３が電話回線の接続断を検知すると、その旨を表示するＣＲＴ、５５はＣＲＴインタフェース、５６は医師が医師端末２２を操作する際に使用するマウス、５７はマウスインタフェース、５８は医師の声を入力するマイク、５９は患者の声を出力するスピーカ、６０はサウンドインタフェース、６１は医師を撮影するビデオカメラ、６２はビデオインタフェースである。
なお、図４はこの発明の実施の形態１による在宅医療方法を示すフローチャートである。
【００２７】
次に動作について説明する。
まず、患者が在宅医療の実施を希望する場合には、患者端末２１のマウス３６を操作することにより、診察を受ける医師が使用する医師端末２２の電話番号をメモリ３４から検索し、その電話番号をモデム３１から発呼して、医師端末２２と患者端末２１をオンライン接続する（ステップＳＴ１）。
一方、医師が在宅医療の実施を希望する場合には、医師端末２２のマウス５６を操作することにより、診察する患者が使用する患者端末２１の電話番号をメモリ５２から検索し、その電話番号をモデム５１から発呼して、医師端末２２と患者端末２１をオンライン接続する（ステップＳＴ１）。
【００２８】
このようにして、医師端末２２と患者端末２１がオンライン接続されると、医師端末２２と患者端末２１を通じて、医師と患者間の通話が可能になる。
具体的には、ビデオカメラ４３により撮影された患者の画像及びマイク４０により入力された患者の音声が患者端末２１から医師端末２２に送信されるため、患者の画像が医師端末２２のＣＲＴ５４に表示され（図５（ａ）を参照）、患者の音声が医師端末２２のスピーカ５９から出力される。
一方、ビデオカメラ６１により撮影された医師の画像及びマイク５８により入力された医師の音声が医師端末２２から患者端末２１に送信されるため、医師の画像が患者端末２１のＣＲＴ３８に表示され（患者端末２１と医師端末２２はほぼ同様の画面を表示する）、医師の音声が患者端末２１のスピーカ４１から出力される。
【００２９】
そして、医師端末２２と患者端末２１がオンライン接続され、医師又は患者がマウス５６，３６を用いて、ＣＲＴ５４，３８に表示されている“データ送信”の囲み内をクリックすると（ステップＳＴ２）、バイタルセンサ３２が患者のバイタル情報を計測する処理を開始し（ステップＳＴ３）、約２０分間計測処理を継続するが、その際、バイタルインタフェース３３は、バイタルセンサ３２により計測されたバイタル情報を入力するごとに、そのバイタル情報をモデム３１を介して医師端末２２に送信するとともに（ステップＳＴ５）、そのバイタル情報をメモリ３４に蓄積する（ステップＳＴ６）。
これにより、約２０分の計測処理を完了すると（ステップＳＴ７）、医師端末２２のＣＲＴ５４及び患者端末２１のＣＲＴ３８には、バイタル情報がグラフ表示される（図５（ｂ）を参照）。
【００３０】
しかし、バイタルセンサ３２が約２０分の計測処理を終了する前に、電話回線が切断されてバイタル情報の送信が途切れると、医師端末２２のＣＰＵ５３及び患者端末２１のＣＰＵ３５は、モデム５１，３１のステータスから回線断を検知し（ステップＳＴ４）、ＣＲＴ５４，３８に“回線異常”を表示する（図５（ｃ）を参照）。
また、患者端末２１のＣＰＵ３５は回線断を検知すると、その旨をバイタルインタフェース３３に通知する。
これにより、バイタルインタフェース３３は、バイタル情報の送信が不可能な状態にあることを認識するので、バイタル情報の送信処理を中断する（ステップＳＴ８）。
ただし、バイタルインタフェース３３は、回線断が発生してもバイタルセンサ３２の計測処理には支障がないので、バイタルセンサ３２により計測されたバイタル情報をメモリ３４に蓄積する処理は継続する。
ここで、図６はメモリ３４に蓄積されるバイタル情報のデータ構造であり、各バイタル情報にはバイタルセンサ３２の計測時間が付加されたファイル形式で格納される。
【００３１】
このようにして、医師端末２２のＣＲＴ５４及び患者端末２１のＣＲＴ３８に“回線異常”が表示されるが、医師又は患者がバイタル情報の再送を希望する場合には、医師又は患者がマウス５６，３６を用いて、ＣＲＴ５４，３８に表示されている“データ再送”の囲み内をクリックすると（ステップＳＴ９）、モデム５１又はモデム３１から電話番号が発呼されて、再度、医師端末２２と患者端末２１がオンライン接続されて電話回線が復旧する（ステップＳＴ１０）。
なお、医師端末２２のモデム５１から電話番号が発呼される場合には、電話回線が復旧されたのち、医師端末２２のモデム５１からバイタル情報の再送要求が患者端末２１のＣＰＵ３５に送信される。
一方、患者端末２１のモデム３１から電話番号が発呼される場合には、“データ再送”の囲み内をクリックされたとき、患者端末２１のＣＰＵ３５がバイタル情報の再送要求を認識する。
【００３２】
そして、医師端末２２と患者端末２１がオンライン接続されて電話回線が復旧すると、患者端末２１のＣＰＵ３５は、最初にメモリ３４に蓄積されている全てのバイタル情報をモデム３１を介して医師端末２２に送信する（ステップＳＴ１１）。
そして、患者端末２１のＣＰＵ３５は、バイタルセンサ３２の計測処理が未だ終了していない場合には、バイタルインタフェース３３に送信処理の再開を指示する。
【００３３】
これにより、バイタルインタフェース３３は、バイタル情報の送信処理を再開し（ステップＳＴ１２）、バイタルセンサ３２により計測されたバイタル情報を入力するごとに、そのバイタル情報をモデム３１を介して医師端末２２に送信するとともに（ステップＳＴ５）、そのバイタル情報をメモリ３４に蓄積する（ステップＳＴ６）。
そして、約２０分の計測処理を完了すると（ステップＳＴ７）、医師端末２２のＣＲＴ５４及び患者端末２１のＣＲＴ３８には、バイタル情報がグラフ表示される（図５（ｂ）を参照）。
【００３４】
ここで、メモリ３４に蓄積されている全てのバイタル情報を送信する理由は、ＣＰＵ３５が回線断を検知した検知時刻と各バイタル情報の計測時刻を比較すれば、患者端末２１は送信済みのバイタル情報を把握することができるが、回線断が発生する直前に送信したバイタル情報は回線の接続状況が既に劣化していて、正常に医師端末２２に送信されていない可能性もあるので、念のため全てのバイタル情報を送信するようにしているからである。
また、バイタルインタフェース３３の送信処理のように、バイタルセンサ３２の計測処理を待つ必要がないので、メモリ３４内のバイタル情報を短時間で送信することができるからである。
【００３５】
以上で明らかなように、この実施の形態１によれば、モデム３１からステータスをリードすることにより、バイタル情報の送信状況を監視し、電話回線の接続断を検知すると、バイタルインタフェース３３の送信処理を中断させる一方、医師又は患者がデータの再送を要求すると、メモリ３４に蓄積されたバイタル情報を医師端末２２に再送し、その再送処理が完了するとバイタルインタフェース３３の送信処理を再開させるように構成したので、回線異常が発生しても、バイタル情報の計測処理を最初からやり直す必要がなくなり、その結果、患者の負担を大きくすることなく、リアルタイムなバイタル情報を送信することができる効果を奏する。
【００３６】
実施の形態２．
上記実施の形態１では、患者端末２１のＣＰＵ３５が電話回線の接続断を検知すると、バイタルインタフェース３３の送信処理を中断させたのち、バイタルインタフェース３３の送信処理を再開させるものについて示したが、バイタルセンサ３２の計測処理とバイタルインタフェース３３の送信処理を中断させたのち、バイタルセンサ３２の計測処理とバイタルインタフェース３３の送信処理を再開させるようにしてもよい。
これにより、バイタルセンサ３２の計測処理が中断中は、バイタル情報が計測されなくなるが、上記実施の形態１と同様に、回線異常が発生しても、バイタル情報の計測処理を最初からやり直す必要がなくなるので、患者の負担を大きくすることなく、リアルタイムなバイタル情報を送信することができる効果を奏する。
【００３７】
実施の形態３．
上記実施の形態１及び実施の形態２では、医師又は患者が“データ再送”の囲み内をクリックすると、医師端末２２と患者端末２１を再度オンライン接続するものについて示したが、医師端末２２のＣＰＵ５３が電話回線の接続断を検知すると、ＣＰＵ５３が自動的にモデム５１から患者端末２１の電話番号を発呼して、医師端末２２と患者端末２１を再度オンライン接続するとともに、医師端末２２から再送要求を患者端末に送信するようにしてもよい。
これにより、医師又は患者における“データ再送”の操作が不要になり、医師及び患者の操作負担が軽減される効果を奏する。
【００３８】
実施の形態４．
上記実施の形態１及び実施の形態２では、医師又は患者が“データ再送”の囲み内をクリックすると、医師端末２２と患者端末２１を再度オンライン接続するものについて示したが、患者端末２１のＣＰＵ（再接続手段）３５が電話回線の接続断を検知すると、ＣＰＵ３５が自動的にモデム３１から医師端末２２の電話番号を発呼して、医師端末２２と患者端末２１を再度オンライン接続するとともに、メモリ３４に蓄積されたバイタル情報を再送して、バイタルインタフェース３３の送信処理等を再開させるようにしてもよい。
これにより、医師又は患者における“データ再送”の操作が不要になり、医師及び患者の操作負担が軽減される効果を奏する。
【００４０】
【発明の効果】
以上のように、この発明によれば、バイタル情報の送信状況を監視し、回線異常を検知すると、計測手段の計測処理及び送信手段の送信処理を中断させる一方、医師端末からバイタル情報の再送要求を受信すると、メモリに蓄積されたバイタル情報を医師端末に再送し、その再送処理が完了すると、計測手段の計測処理及び送信手段の送信処理を再開させるように構成したので、回線異常が発生しても、バイタル情報の計測処理を最初からやり直す必要がなくなり、その結果、患者の負担を大きくすることなく、リアルタイムなバイタル情報を送信することができる効果がある。
【００４１】
この発明によれば、医師端末がバイタル情報の受信状況を監視し、回線異常を検知すると、その旨を表示するように構成したので、医師が回線異常を認識することができる効果がある。
【００４２】
この発明によれば、医師端末がバイタル情報の受信状況を監視し、回線異常を検知すると、回線を再接続するように構成したので、医師又は患者における回線再接続の操作が不要になり、医師及び患者の操作負担が軽減される効果がある。
【００４３】
この発明によれば、回線が復旧すると再送要求を送信するように構成したので、医師又は患者における“データ再送”の操作が不要になり、医師及び患者の操作負担が軽減される効果がある。
【００４５】
この発明によれば、バイタル情報の送信状況を監視し、回線異常を検知すると、計測手段の計測処理及び送信手段の送信処理を中断させる一方、回線が復旧すると、メモリに蓄積されたバイタル情報を医師端末に再送し、その再送処理が完了すると、計測手段の計測処理及び送信手段の送信処理を再開させるように構成したので、回線異常が発生しても、バイタル情報の計測処理を最初からやり直す必要がなくなり、その結果、患者の負担を大きくすることなく、リアルタイムなバイタル情報を送信することができる効果がある。
【００４６】
この発明によれば、回線異常を検知すると、その旨を表示する表示手段を設けるように構成したので、患者が回線異常を認識することができる効果がある。
【００４７】
この発明によれば、回線異常を検知すると、回線を再接続する再接続手段を設けるように構成したので、医師又は患者における回線再接続の操作が不要になり、医師及び患者の操作負担が軽減される効果がある。
【００４９】
この発明によれば、再送手段が、バイタル情報の送信状況を監視し、回線異常を検知すると、計測手段の計測処理及び送信手段の送信処理を中断させる一方、医師端末からバイタル情報の再送要求を受信すると、メモリに蓄積されたバイタル情報を医師端末に再送し、その再送処理が完了すると、計測手段の計測処理及び送信手段の送信処理を再開させるように構成したので、回線異常が発生しても、バイタル情報の計測処理を最初からやり直す必要がなくなり、その結果、患者の負担を大きくすることなく、リアルタイムなバイタル情報を送信することができる効果がある。
【００５１】
この発明によれば、再送手段が、バイタル情報の送信状況を監視し、回線異常を検知すると、計測手段の計測処理及び送信手段の送信処理を中断させる一方、回線が復旧すると、メモリに蓄積されたバイタル情報を医師端末に再送し、その再送処理が完了すると、計測手段の計測処理及び送信手段の送信処理を再開させるように構成したので、回線異常が発生しても、バイタル情報の計測処理を最初からやり直す必要がなくなり、その結果、患者の負担を大きくすることなく、リアルタイムなバイタル情報を送信することができる効果がある。
【図面の簡単な説明】
【図１】  この発明の実施の形態１による在宅医療装置を示す概略構成図である。
【図２】  患者端末の具体的な構成を示す構成図である。
【図３】  医師端末の具体的な構成を示す構成図である。
【図４】  この発明の実施の形態１による在宅医療方法を示すフローチャートである。
【図５】  医師端末及び患者端末のＣＲＴに表示される画面を示す図である。
【図６】  メモリに蓄積されるバイタル情報のデータ構造図である。
【図７】  従来の在宅医療装置を示す構成図である。
【符号の説明】
２２  医師端末、３２  バイタルセンサ（計測手段）、３３  バイタルインタフェース（送信手段）、３４  メモリ、３５  ＣＰＵ（再送手段、再接続手段）、３８  ＣＲＴ（表示手段）。
【図１】
0004086948.tif 000002
【図２】
0004086948.tif 000003
【図３】
0004086948.tif 000004
【図４】
0004086948.tif 000005
【図５】
0004086948.tif 000006
【図６】
0004086948.tif 000007
【図７】
0004086948.tif 000008